(57)【特許請求の範囲】
【請求項１】
所定の記録媒体にコンテンツデータを記録する記録手段と、
ユーザが各種操作指示を入力するための入力手段と、
ユーザによる前記入力手段の操作に応じて、前記記録媒体に記録されたコンテンツデータを再生したり、早送りしたりする再生手段と、
前記再生手段により再生されたコンテンツデータに基づく情報を所定の表示部に表示させる表示制御手段と、
前記記録媒体に記録されたコンテンツデータが、前記再生手段によって再生されたか否か、また所定の早送りがされたか判断する再生履歴判断手段と、
前記再生履歴判断手段により前記コンテンツデータが早送りされたと判断されたコンテンツデータの早送り領域の始点位置と終点位置とにチャプタを設定するチャプタ設定手段と、
前記チャプタ設定手段により設定されたチャプタに対し、そのチャプタが設定された位置に対応する前記コンテンツデータに関するサムネイル画像を割り当てるサムネイル割当手段と、
前記再生履歴判断手段により判断された結果に基づいて、前記コンテンツデータにおける再生済み領域と、未再生領域と、早送り領域とを色分けしたコンテンツ表示子と、前記サムネイル割当手段によって前記チャプタに対して割り当てられた前記サムネイル画像とを前記表示部に表示させるコンテンツ表示制御手段と、
前記チャプタが設定された前記早送り領域の始点位置や終点位置に対応する前記コンテンツデータに関する動画を所定時間再生して表示させるチャプタ動画表示制御手段と、
を備えることを特徴とする情報記録再生装置。
【請求項２】
所定の記録媒体にコンテンツデータを記録する記録手段と、
ユーザが各種操作指示を入力するための入力手段と、
ユーザによる前記入力手段の操作に応じて、前記記録媒体に記録されたコンテンツデータを再生したり、早送りしたりする再生手段と、
前記再生手段により再生されたコンテンツデータに基づく情報を所定の表示部に表示させる表示制御手段と、
前記記録媒体に記録されたコンテンツデータが、前記再生手段によって再生されたか否か、また所定の早送りがされたか判断する再生履歴判断手段と、
前記再生履歴判断手段により前記コンテンツデータが早送りされたと判断されたコンテンツデータの早送り領域の始点位置と終点位置とにチャプタを設定するチャプタ設定手段と、
前記チャプタ設定手段により設定されたチャプタに対し、そのチャプタが設定された位置に対応する前記コンテンツデータに関するサムネイル画像を割り当てるサムネイル割当手段と、
前記再生履歴判断手段により判断された結果に基づいて、前記コンテンツデータにおける再生済み領域と、未再生領域と、早送り領域とを色分けしたコンテンツ表示子と、前記サムネイル割当手段によって前記チャプタに対して割り当てられた前記サムネイル画像とを前記表示部に表示させるコンテンツ表示制御手段と、
を備えることを特徴とする情報記録再生装置。
【請求項３】
前記チャプタが設定された前記早送り領域の始点位置や終点位置に対応する前記コンテンツデータに関する動画を所定時間再生して表示させるチャプタ動画表示制御手段を備えることを特徴とする請求項２に記載の情報記録再生装置。
【発明の詳細な説明】
【技術分野】
【０００１】
本発明は、記録媒体に対するコンテンツデータの記録と、その記録媒体に記録されたコンテンツデータの再生を行う情報記録再生装置に関する。
【背景技術】
【０００２】
従来、ハードディスク（ＨＤ；Hard Disc）やＤＶＤ（Digital Versatile Disc）などの記録媒体に、放送番組などのコンテンツデータを録画して記録したり、他の記録媒体に記録されている映画などのコンテンツデータをダビングして記録したりする情報記録再生装置がある。
【０００３】
そして、所定の記録媒体に記録されたコンテンツデータが、どの程度再生されて視聴されたか視認することができるように、そのコンテンツデータにおける既に再生された部分と未だ再生されていない部分との割合に応じて色分けされたアイコンを表示する情報記録再生装置が知られている（例えば、特許文献１参照。）。
【０００４】
また、所定の記録媒体に記録されたコンテンツデータにおける、既に再生された部分をタイムチャートに沿って色分けして表示する情報記録再生装置が知られている（例えば、特許文献２、特許文献３参照。）。
【特許文献１】特開２００５−２１６３３８号公報
【特許文献２】特開２００５−０９３０３４号公報
【特許文献３】特開２００４−１４７３０３号公報
【発明の開示】
【発明が解決しようとする課題】
【０００５】
しかしながら、上記特許文献１の場合、色分けされて表示されるアイコンによって、記録媒体に記録されているコンテンツデータ毎に、そのコンテンツデータに基づくコンテンツをどの程度視聴したか確認することはできるが、そのコンテンツにおけるどの部分を視聴し、どの部分を視聴していないかを判断することはできないので、ユーザはコンテンツの視聴部分と未視聴部分を確認するために、コンテンツデータを再生してみなければならなかった。
【０００６】
また、上記特許文献２の場合、記録媒体に記録されているコンテンツデータに対応付けられているメモデータに基づき、ユーザがコンテンツデータにおけるタイムチャートに沿った内容を判断し、そのコンテンツデータの任意の部分を再生することはできるが、そのメモデータに基づくコンテンツの内容判断であるため、コンテンツデータにおける所望する部分を再生することができないこともあった。
【０００７】
また、上記特許文献３の場合、ユーザはコンテンツデータにおけるタイムチャートに沿った任意の部分を再生することはできるが、コンテンツデータにおける再生済み領域と未再生領域との区切り部分の内容がわからないために、コンテンツデータにおける所望する部分を再生することができないこともあった。
【０００８】
本発明の目的は、記録媒体に記録されたコンテンツデータを好適に再生することができる情報記録再生装置を提供することである。
【課題を解決するための手段】
【０００９】
以上の課題を解決するため、請求項１に記載の発明は、情報記録再生装置であって、所定の記録媒体にコンテンツデータを記録する記録手段と、ユーザが各種操作指示を入力するための入力手段と、ユーザによる前記入力手段の操作に応じて、前記記録媒体に記録されたコンテンツデータを再生したり、早送りしたりする再生手段と、前記再生手段により再生されたコンテンツデータに基づく情報を所定の表示部に表示させる表示制御手段と、前記記録媒体に記録されたコンテンツデータが、前記再生手段によって再生されたか否か、また所定の早送りがされたか判断する再生履歴判断手段と、前記再生履歴判断手段により前記コンテンツデータが早送りされたと判断されたコンテンツデータの早送り領域の始点位置と終点位置とにチャプタを設定するチャプタ設定手段と、前記チャプタ設定手段により設定されたチャプタに対し、そのチャプタが設定された位置に対応する前記コンテンツデータに関するサムネイル画像を割り当てるサムネイル割当手段と、前記再生履歴判断手段により判断された結果に基づいて、前記コンテンツデータにおける再生済み領域と、未再生領域と、早送り領域とを色分けしたコンテンツ表示子と、前記サムネイル割当手段によって前記チャプタに対して割り当てられた前記サムネイル画像とを前記表示部に表示させるコンテンツ表示制御手段と、前記チャプタが設定された前記早送り領域の始点位置や終点位置に対応する前記コンテンツデータに関する動画を所定時間再生して表示させるチャプタ動画表示制御手段と、を備えることを特徴とする。
【００１０】
請求項２に記載の発明は、情報記録再生装置であって、所定の記録媒体にコンテンツデータを記録する記録手段と、ユーザが各種操作指示を入力するための入力手段と、ユーザによる前記入力手段の操作に応じて、前記記録媒体に記録されたコンテンツデータを再生したり、早送りしたりする再生手段と、前記再生手段により再生されたコンテンツデータに基づく情報を所定の表示部に表示させる表示制御手段と、前記記録媒体に記録されたコンテンツデータが、前記再生手段によって再生されたか否か、また所定の早送りがされたか判断する再生履歴判断手段と、前記再生履歴判断手段により前記コンテンツデータが早送りされたと判断されたコンテンツデータの早送り領域の始点位置と終点位置とにチャプタを設定するチャプタ設定手段と、前記チャプタ設定手段により設定されたチャプタに対し、そのチャプタが設定された位置に対応する前記コンテンツデータに関するサムネイル画像を割り当てるサムネイル割当手段と、前記再生履歴判断手段により判断された結果に基づいて、前記コンテンツデータにおける再生済み領域と、未再生領域と、早送り領域とを色分けしたコンテンツ表示子と、前記サムネイル割当手段によって前記チャプタに対して割り当てられた前記サムネイル画像とを前記表示部に表示させるコンテンツ表示制御手段と、を備えることを特徴とする。
【００１１】
請求項３に記載の発明は、請求項２に記載の情報記録再生装置において、前記チャプタが設定された前記早送り領域の始点位置や終点位置に対応する前記コンテンツデータに関する動画を所定時間再生して表示させるチャプタ動画表示制御手段を備えることを特徴とする。
【発明の効果】
【００１２】
請求項１に記載の発明によれば、情報記録再生装置は、所定の記録媒体にコンテンツデータを記録することと、その記録媒体に記録されたコンテンツデータを再生することができるとともに、再生手段によって再生されたコンテンツデータに基づく映像などの情報を所定の表示部に表示させることができる。
そして、情報記録再生装置は、記録媒体に記録されているコンテンツデータが、再生手段によって再生されたか否か、また所定の早送りがされたか、つまり、そのコンテンツデータにおけるデータ領域が、再生手段によって再生された領域か否か、また所定の早送りがされた領域か判断し、早送りされた領域であると判断されたコンテンツデータの早送り領域の始点位置と終点位置とにチャプタを設定し、チャプタが設定された位置に対応するコンテンツデータに関するサムネイル画像をそのチャプタに対して割り当てることができる。
更に、情報記録再生装置は、コンテンツデータの再生履歴に基づいて、コンテンツデータにおける再生済み領域と、未再生領域と、早送り領域とを色分けしたコンテンツ表示子とともに、チャプタに対して割り当てられたサムネイル画像を表示部に表示させることができる。
【００１３】
つまり、情報記録再生装置は、テレビやモニタなどの表示部に、記録媒体に記録されているコンテンツデータにおける再生領域と未再生領域と早送り領域とを色分けしたコンテンツ表示子を表示することができるので、ユーザは、記録媒体に記録されているコンテンツを、どの程度視聴したか確認することが可能になる。また、情報記録再生装置はその表示部に、コンテンツ表示子とともに、そのコンテンツ表示子に対応するコンテンツデータに設定されたチャプタに割り当てられたサムネイル画像を表示することができるので、ユーザは、そのコンテンツの視聴時に早送りした範囲（早送り領域）の前後におけるコンテンツの内容をサムネイル画像によって確認することが可能になる。
従って、ユーザは、記録媒体に記録したコンテンツをどの程度視聴したか確認することや、そのコンテンツの視聴時に早送りした範囲の前後におけるコンテンツの内容を確認することにより、記録媒体に記録されているコンテンツデータを、以後再生して視聴すべきものであるか、以後再生することはないものであるかを判断しやすくなる。
このように、ユーザは、情報記録再生装置における記録媒体に記録されたコンテンツデータの視聴状況やコンテンツの内容を確認してから、そのコンテンツデータの再生を行うことができるので、ユーザが所望するコンテンツデータや、そのコンテンツデータの任意の領域を選択して再生することが可能になる。
よって、この情報記録再生装置は、記録媒体に記録されたコンテンツデータを好適に再生することができる情報記録再生装置であるといえる。
【００１４】
また、情報記録再生装置は、チャプタが設定された早送り領域の始点位置や終点位置に対応するコンテンツデータに関する動画を所定時間再生して表示部に表示させることができる。つまり、情報記録再生装置は、コンテンツデータに設定されたチャプタに割り当てられたサムネイル画像とともに、そのチャプタが設定された早送り領域の始点位置や終点位置に対応する動画を表示部に表示することができるので、ユーザは、その早送り領域の始点位置や終点位置のタイミングにおけるコンテンツの内容を所定時間再生される動画によって、サムネイル画像よりも詳しく確認することが可能になる。
【００１５】
請求項２に記載の発明によれば、情報記録再生装置は、所定の記録媒体にコンテンツデータを記録することと、その記録媒体に記録されたコンテンツデータを再生することができるとともに、再生手段によって再生されたコンテンツデータに基づく映像などの情報を所定の表示部に表示させることができる。
そして、情報記録再生装置は、記録媒体に記録されているコンテンツデータが、再生手段によって再生されたか否か、また所定の早送りがされたか、つまり、そのコンテンツデータにおけるデータ領域が、再生手段によって再生された領域か否か、また所定の早送りがされた領域か判断し、早送りされた領域であると判断されたコンテンツデータの早送り領域の始点位置と終点位置とにチャプタを設定し、チャプタが設定された位置に対応するコンテンツデータに関するサムネイル画像をそのチャプタに対して割り当てることができる。
更に、情報記録再生装置は、コンテンツデータの再生履歴に基づいて、コンテンツデータにおける再生済み領域と、未再生領域と、早送り領域とを色分けしたコンテンツ表示子とともに、チャプタに対して割り当てられたサムネイル画像を表示部に表示させることができる。
【００１６】
つまり、情報記録再生装置は、テレビやモニタなどの表示部に、記録媒体に記録されているコンテンツデータにおける再生領域と未再生領域と早送り領域とを色分けしたコンテンツ表示子を表示することができるので、ユーザは、記録媒体に記録されているコンテンツを、どの程度視聴したか確認することが可能になる。また、情報記録再生装置はその表示部に、コンテンツ表示子とともに、そのコンテンツ表示子に対応するコンテンツデータに設定されたチャプタに割り当てられたサムネイル画像を表示することができるので、ユーザは、そのコンテンツの視聴時に早送りした範囲（早送り領域）の前後におけるコンテンツの内容をサムネイル画像によって確認することが可能になる。
従って、ユーザは、記録媒体に記録したコンテンツをどの程度視聴したか確認することや、そのコンテンツの視聴時に早送りした範囲の前後におけるコンテンツの内容を確認することにより、記録媒体に記録されているコンテンツデータを、以後再生して視聴すべきものであるか、以後再生することはないものであるかを判断しやすくなる。
このように、ユーザは、情報記録再生装置における記録媒体に記録されたコンテンツデータの視聴状況やコンテンツの内容を確認してから、そのコンテンツデータの再生を行うことができるので、ユーザが所望するコンテンツデータや、そのコンテンツデータの任意の領域を選択して再生することが可能になる。
よって、この情報記録再生装置は、記録媒体に記録されたコンテンツデータを好適に再生することができる情報記録再生装置であるといえる。
【００１７】
請求項３に記載の発明によれば、請求項２に記載の発明と同様の効果が得られることは無論のこと、情報記録再生装置は、チャプタが設定された早送り領域の始点位置や終点位置に対応するコンテンツデータに関する動画を所定時間再生して表示部に表示させることができる。
つまり、情報記録再生装置は、コンテンツデータに設定されたチャプタに割り当てられたサムネイル画像とともに、そのチャプタが設定された早送り領域の始点位置や終点位置に対応する動画を表示部に表示することができるので、ユーザは、その早送り領域の始点位置や終点位置のタイミングにおけるコンテンツの内容を所定時間再生される動画によって、サムネイル画像よりも詳しく確認することが可能になる。
【発明を実施するための最良の形態】
【００１８】
以下、図面を参照して本発明に係る情報記録再生装置の実施形態について説明する。
なお、本実施の形態においては情報記録再生装置として、装置本体１に内蔵された記録媒体であるハードディスク８１と、装置本体１に着脱可能な記録媒体であるＤＶＤ９１とに対してコンテンツデータの記録を行うＨＤＤ内蔵ＤＶＤレコーダ１００を例に挙げて説明する。
【００１９】
図１に示すように、情報記録再生装置としてのＨＤＤ内蔵ＤＶＤレコーダ１００は、映像データや音声データ等から成るコンテンツデータを、ハードディスク８１又はＤＶＤ９１に記録するとともに、ハードディスク８１或いはＤＶＤ９１に記録されたコンテンツデータの再生を行う装置本体１と、ユーザが各種操作指示を入力するためのキー入力部２等を備えて構成されている。
なお、装置本体１において再生されたコンテンツデータに基づく情報を表示させる表示部としてのテレビジョン受像機２００が、装置本体１に接続されている。
【００２０】
このＨＤＤ内蔵ＤＶＤレコーダ１００は、例えば、記録、再生及びダビング等の処理が可能であり、キー入力部２の操作に応じてそれぞれの処理が選択されて実行されることとなる。
ここで、記録処理とは、外部より配信されたコンテンツデータを受信して、そのコンテンツデータをハードディスク８１或いはＤＶＤ９１に記録する処理を指す。
また、再生処理とは、ハードディスク８１又はＤＶＤ９１に記録されたコンテンツデータを再生し、外部機器であるテレビジョン受像機２００に出力する処理を指す。
また、ダビング処理とは、一方の記録媒体（例えば、ハードディスク８１）に記録されたコンテンツデータを、他方の記録媒体（例えば、ＤＶＤ９１）へ転送して記録させる処理を指す。
【００２１】
装置本体１は、放送信号を受信し、その放送信号から所定の放送チャンネルの放送番組に応じた信号を選局するチューナ部３と、チューナ部３から出力された放送信号を構成するコンテンツデータにおける映像データから同期信号を分離する分離部４と、分離部４から入力されたコンテンツデータ或いはハードディスク８１やＤＶＤ９１に記録されたコンテンツデータから、それらコンテンツデータを識別する複数の識別情報を抽出する抽出部５と、抽出部５から入力されたコンテンツデータに対して所定の圧縮処理を行うエンコーダ６と、コンテンツデータの入出力経路を設定して、エンコーダ６から入力されたコンテンツデータをＨＤＤ部８或いはＤＶＤドライブ部９に送給するとともに、ＨＤＤ部８或いはＤＶＤドライブ部９から取り込んだコンテンツデータをＤＶＤドライブ部９或いはＨＤＤ部８または装置の各部に出力するデータプロセッサ７と、装置本体１に内蔵されたハードディスク８１に対してコンテンツデータの記録及び再生を行うＨＤＤ部８と、装置本体１に着脱可能なＤＶＤ９１に対してコンテンツデータの記録及び再生を行うＤＶＤドライブ部９と、ＨＤＤ部８及びＤＶＤドライブ部９から出力されたコンテンツデータに所定の復元処理を行うデコーダ１０と、デコーダ１０から出力されたコンテンツデータに対して所定の信号出力処理を行う出力インターフェース部１１と、コンテンツデータにおける映像データに対してＯＳＤデータを付加するＯＳＤ（On Screen Display）回路１２と、キー入力部２からの入力操作信号を受信するとともに、その入力操作信号を制御部１４に出力するリモコン信号受光部１３と、装置本体１の各部を統括制御する制御部１４と、装置各部を接続する制御バス１５等を備えている。
【００２２】
キー入力部２は、例えば、装置本体１に対して遠隔操作を行うリモートコントロール装置（リモコン）である。
【００２３】
チューナ部３は、例えば、図示は省略するが、高周波増幅回路と、局部発振回路及び混合回路から成る周波数変換回路等を備えて構成されている。
チューナ部３は、記録処理において、装置本体１に接続されたアンテナ（図示省略）等を介して装置本体１に入力されたテレビジョン放送信号と、局部発振回路から出力される局部発振信号とを混合回路により混合し、その放送信号の周波数を選局するための制御部１４からの制御出力に応じて、特定周波数帯の放送信号を受信する。そしてチューナ部３は、受信した放送信号を所定の中間周波数を有するＩＦ（中間周波：Intermediate Frequency）信号に変換して分離部４に出力する。
【００２４】
分離部４は、放送信号であるコンテンツデータを抽出部５に出力するとともに、チューナ部３より入力されたコンテンツデータであるＩＦ信号を構成する映像データから、同期信号を分離して装置の各部に出力する。この同期信号に基づいて、ＨＤＤ部８及びＤＶＤドライブ部９において、ハードディスク８１又はＤＶＤ９１に対してコンテンツデータの記録、再生及びダビング等が行われる際の同期がとられることとなる。
【００２５】
抽出部５は、後述するＣＰＵ１４２からの制御出力に基づいて、分離部４より入力されたコンテンツデータから、そのコンテンツデータを識別する複数の識別情報を抽出するとともに、ハードディスク８１及びＤＶＤ９１に記録されたコンテンツデータを識別する複数の識別情報を抽出する。
具体的には、抽出部５は、例えば、放送番組データ等のコンテンツデータ毎に「記録日」「曜日」「記録開始時刻」「放送チャンネル」「ジャンル」「放送番組名」等のコンテンツデータを識別する複数の識別情報をそれぞれ抽出し、抽出した複数の識別情報を制御部１４に対して出力する。
【００２６】
エンコーダ６は、例えば、図示は省略するが、Ａ／Ｄ変換器と、ビデオエンコーダと、オーディオエンコーダと、フォーマット部等を備えて構成されている。
Ａ／Ｄ変換器は、抽出部５を介して入力されたコンテンツデータがアナログデータである場合に、そのアナログのコンテンツデータをデジタル変換する。また、ビデオエンコーダは、コンテンツデータを構成する映像データをＭＰＥＧ（Motion Picture Expert Group）方式に従って圧縮し、オーディオエンコーダは、コンテンツデータを構成する音声データをＭＰＥＧオーディオ方式に従って圧縮する。さらに、フォーマット部は、後述するＣＰＵ１４２からの制御出力に基づいて、映像データや音声データ等から成るコンテンツデータを、ＤＶＤドライブ部９においてＤＶＤ９１に書き込み可能なフォーマット形式或いはＨＤＤ部８においてハードディスク８１に書き込み可能な所定のフォーマット形式に変換する。
なお、エンコーダ６は、ダビング処理の実行において、記録媒体同士のフォーマット形式が異なる場合には、デコーダ１０により一旦復元されたコンテンツデータを再エンコードする処理を行い、記録可能な所定のフォーマット形式に変換する処理を行う。
そして、このエンコーダ６において生成されたコンテンツデータは、データプロセッサ７を介してＨＤＤ部８或いはＤＶＤドライブ部９に出力されることとなる。
【００２７】
データプロセッサ７は、後述するＣＰＵ１４２からの制御出力に基づいて、コンテンツデータの入出力経路を設定し、データの入力及び出力を制御する。
具体的には、例えば、記録処理において、ユーザによるキー入力部２の操作によりハードディスク８１に対する記録の指示がなされた場合には、エンコーダ６から入力されたコンテンツデータをＨＤＤ部８に出力し、一方、ユーザによりＤＶＤ９１に対する記録の指示がなされた場合には、エンコーダ６から入力されたコンテンツデータを、ＤＶＤドライブ部９に出力する。
また、例えば、ダビング処理において、ユーザによるキー入力部２の操作によりハードディスク８１に記録されたコンテンツデータをＤＶＤ９１にダビングする指示がなされた場合には、ＨＤＤ部８からコンテンツデータを取り込んで、フォーマット形式が同じ場合にはそのままＤＶＤドライブ部９に対して出力するとともに、フォーマット形式が異なる場合には、一旦デコーダ１０及びエンコーダ６において再エンコード処理を行わせた後に、ＤＶＤドライブ部９に対して出力する。
【００２８】
ＨＤＤ（Hard Disk Drive）部８は、例えば、ＡＴＡ（AT Attachment）規格を採用しており、内蔵されたハードディスク８１と、ハードディスク８１に対するデータの記録或いはハードディスク８１に記録されたデータの読み出しを行う磁気ヘッド８２と、ハードディスク８１を回転駆動させるとともに、磁気ヘッド８２をハードディスク８１の半径方向に移動させるための駆動部８３等を備えて構成されている。ハードディスク８１は、非磁性体のディスク基板（図示省略）と、その上に設けられた磁性層（図示省略）と、を備えて成り、磁気ヘッド８２とハードディスク８１との間に、電流を供給することにより磁界を発生する微小なギャップを有している。
【００２９】
このＨＤＤ部８では、記録処理及びダビング処理において、磁気ヘッド８２をハードディスク８１の表面に限りなく接触させて相対速度を与え、磁気ヘッド８２に与えられた電流により発生する磁場により、ハードディスク８１に対するデータの書き込みを行う。つまり、ＨＤＤ部８は、チューナ部３等を介して受信した放送信号であるコンテンツデータや、ＤＶＤ９１に記録されたコンテンツデータをハードディスク８１に書き込み、記録する。
一方、ＨＤＤ部８では、再生処理及びダビング処理において、磁気ヘッド８２とハードディスク８１の間で相対速度を与えることによってハードディスク８１から発生する磁束の変化により、ハードディスク８１に記録されたデータの読み出しを行う。そして、ＨＤＤ部８は、ハードディスク８１に記録されたコンテンツデータを読み出して再生し、制御部１４に出力する。
【００３０】
このように、ＨＤＤ部８は、ハードディスク８１にコンテンツデータを記録し録画する記録手段としての機能と、ハードディスク８１に記録されたコンテンツデータを再生する再生手段としての機能を有する。
【００３１】
ＤＶＤドライブ部９は、例えば、ＤＶＤドライブ部９に対して着脱自在なＤＶＤ９１と、ＤＶＤ９１に対するデータの記録及びＤＶＤ９１に記録されたデータの読み出しを行う光ピックアップ９２と、ＤＶＤドライブ部９に装填されたＤＶＤ９１を回転駆動させるとともに光ピックアップ９２をＤＶＤ９１の半径方向に移動させるための駆動部９３等を備えている。
具体的には、ＤＶＤ９１は、ＤＶＤ−Ｒ（DVD-Recordable）等の追記型ディスクや、ＤＶＤ−ＲＷ（DVD-ReWritable）、ＤＶＤ−ＲＡＭ（DVD-Random Access Memory）等の書き換え可能なディスクであり、ディスク基盤（図示省略）と、レーザ光の照射による加熱で結晶構造が変化する物質によって形成された記録層（図示省略）と、レーザ光を反射するための反射層（図示省略）等を備えて成る。
【００３２】
このＤＶＤドライブ部９では、記録処理及びダビング処理において、光ピックアップ９２により、ＤＶＤ９１の反射層にレーザ光を照射し、反射光による加熱により記録層の結晶構造を変化させてピットを形成することにより、ＤＶＤ９１に対するデータの書き込みを行う。つまり、ＤＶＤドライブ部９は、チューナ部３等を介して受信した放送信号であるコンテンツデータや、ハードディスク８１に記録されたコンテンツデータをＤＶＤ９１に書き込み、記録する。
一方、ＤＶＤドライブ部９では、再生処理及びダビング処理において、光ピックアップ９２によりＤＶＤ９１の反射層にレーザ光を照射し、光電変換及び電流電圧変換によって反射光に応じた電圧信号を生成することにより、ＤＶＤ９１に記録されたデータの読み出しを行う。そして、ＤＶＤドライブ部９は、ＤＶＤ９１に記録されたコンテンツデータを読み出して再生し、制御部１４に出力する。
【００３３】
このように、ＤＶＤドライブ部９は、ＤＶＤ９１にコンテンツデータを記録し録画する記録手段としての機能と、ＤＶＤ９１に記録されたコンテンツデータを再生する再生手段としての機能を有する。
【００３４】
デコーダ１０は、例えば、図示は省略するが、セパレート部と、ビデオデコーダと、オーディオデコーダ等を備えて構成されている。
セパレート部は、ＨＤＤ部８又はＤＶＤドライブ部９からデータプロセッサ７を介して出力されたコンテンツデータを映像データ、音声データ等の複数のデータに分離する。また、ビデオデコーダは、セパレート部において分離された映像データを、ＭＰＥＧ方式に従って復元し、オーディオデコーダは、セパレート部において分離された音声データをＭＰＥＧオーディオ方式に従って復元する。
このデコーダ１０において生成されたコンテンツデータは、再生処理においては出力インターフェース部１１に出力され、ダビング処理においてはエンコーダ６に出力されることとなる。
【００３５】
出力インターフェース部１１は、例えば、図示しないＤ／Ａ変換器等を備え、再生処理においてデコーダ１０から入力されるコンテンツデータに対して各種の出力インターフェース処理を施し、ＮＴＳＣ方式やＰＡＬ方式等のテレビジョン受像機２００に適合した映像データ、音声データに変換する。具体的には、Ｄ／Ａ変換器は、出力がアナログである場合に、デコーダ１０より入力されたデジタルのコンテンツデータをアナログデータに変換する。
この出力インターフェースにおいて生成されたコンテンツデータに基づく情報である映像や音声は、装置本体１に接続されたテレビジョン受像機２００の図示しないディスプレイ（表示画面２００ａ）やスピーカにそれぞれ出力されることとなる。
【００３６】
ＯＳＤ回路１２は、コンテンツデータを構成する映像データに対して、後述するメモリ部１４４やＲＯＭ１４５に格納された図示しないＯＳＤデータを合成する処理を行う。
【００３７】
リモコン信号受光部１３は、リモコンであるキー入力部２に備わる各種キーがユーザにより押下操作されることにより出力された赤外線等の入力操作信号を受信し、その入力操作信号を制御部１４に対して出力する。
【００３８】
制御部１４は、I／Ｏ（Input/Output）ポート１４１と、ＣＰＵ（Central Processing Unit）１４２と、計時部１４３と、メモリ部１４４と、ＲＯＭ（Read Only Memory）１４５等を備えて構成されている。
【００３９】
ＣＰＵ１４２は、装置本体１の各部からI／Ｏポート１４１を介して入力された入力信号や、キー入力部２の各種キーの押下操作によってリモコン信号受光部１３及びI／Ｏポート１４１を介して入力された入力操作信号等に応じて、ＲＯＭ１４５に格納された各種プログラムを実行するとともに、実行にかかるプログラムに基づいてI／Ｏポート１４１を介して装置の各部に出力信号を出力することによって、ＨＤＤ内蔵ＤＶＤレコーダ１００の動作全般を統括制御する。
【００４０】
計時部１４３は、現在時刻を計時し、ＣＰＵ１４２からの制御出力に応じて、計時した現在時刻データを、ＣＰＵ１４２に対して出力する。
【００４１】
メモリ部１４４は、例えば、ＲＡＭ（Random Access Memory）等の揮発性メモリからなるワークエリア１４４１を備えており、ＣＰＵ１４２によって各種プログラムが実行される際に生じる処理結果や、入力されたデータ等がそのワークエリア１４４１に記憶される。
また、メモリ部１４４は、ＥＰＲＯＭ（Erasable Programmable ROM）等の不揮発性メモリからなるデータエリア１４４２を備えている。
このデータエリア１４４２には、ハードディスク８１やＤＶＤ９１に記録されているコンテンツデータに関する再生履歴データ１４４２ａ（図２参照）が記録されている。この再生履歴データ１４４２ａは、図２に示すように、コンテンツデータの識別情報や、そのコンテンツデータが有する所要時間（録画に要した時間、再生に要する時間）に対応する時系列に沿った、既に再生された範囲や、未だ再生されていない範囲や、早送りされた範囲などを示すデータなどからなるものである。
また、データエリア１４４２には、テレビジョン受像機２００の表示画面２００ａに表示するＯＳＤ表示に関するＯＳＤデータが格納されている。また、データエリア１４４２には、抽出部５により抽出されるコンテンツデータに関する識別情報が格納された識別情報格納テーブルが記憶されている。
【００４２】
ＲＯＭ１４５は、例えば、不揮発性メモリからなるプログラム格納エリアを有し、表示制御プログラム１４５ａ、判断プログラム１４５ｂ、チャプタ設定プログラム１４５ｃ、サムネイル割当プログラム１４５ｄ、コンテンツ表示制御プログラム１４５ｅ、チャプタ動画表示制御プログラム１４５ｆ等の各種プログラムを備えている。
【００４３】
表示制御プログラム１４５ａは、ＨＤＤ部８やＤＶＤドライブ部９によって再生されて出力されたコンテンツデータに基づく情報である映像や画像を、テレビジョン受像機２００の表示画面２００ａに表示させるためのプログラムである。
そして、ＣＰＵ１４２が、表示制御プログラム１４５ａを実行することにより、ＨＤＤ部８やＤＶＤドライブ部９によって再生されたコンテンツデータに基づく映像や画像を、テレビジョン受像機２００に表示させる表示制御手段として機能する。
【００４４】
また、表示制御手段としてのＣＰＵ１４２は、ユーザによるキー入力部２の操作に応じて、ＨＤＤ部８やＤＶＤドライブ部９によって再生されたり、早送りされたりしたコンテンツデータに対応する再生履歴データ１４４２ａの更新処理を実行し、常に最新の再生履歴データ１４４２ａをメモリ部１４４（データエリア１４４２）に格納するようになっている。
なお、ユーザによるキー入力部２の操作によって、ＨＤＤ部８やＤＶＤドライブ部９はコンテンツデータに対して、再生（通常再生）、１．３倍速再生、２倍速早送り、４倍速早送り、１６倍速早送り等の再生処理を行うことが可能であるので、ＣＰＵ１４２は、それぞれの再生実行、早送り実行を区別して、再生履歴データ１４４２ａを生成して記録する。
【００４５】
判断プログラム１４５ｂは、ハードディスク８１やＤＶＤ９１に記録されているコンテンツデータが、ＨＤＤ部８やＤＶＤドライブ部９によって再生されたか否か、また所定の早送りがされたか判断するためのプログラムである。
そして、ＣＰＵ１４２が、判断プログラム１４５ｂを実行することにより、ハードディスク８１やＤＶＤ９１に記録されているコンテンツデータにおける領域が、既に再生された領域であるか、未だ再生されていない領域であるか、早送りされた領域であるか等を判断する再生履歴判断手段として機能する。
なお、再生履歴判断手段としてのＣＰＵ１４２は、メモリ部１４４（データエリア１４４２）に格納されている再生履歴データ１４４２ａ（図２参照）に基づき、再生済み領域や未再生領域や早送り領域等を判断するようになっている。
【００４６】
チャプタ設定プログラム１４５ｃは、再生履歴判断手段としてのＣＰＵ１４２によって、ハードディスク８１やＤＶＤ９１に記録されているコンテンツデータにおける早送りされたと判断されたコンテンツデータの早送り領域の始点位置と終点位置とにチャプタを設定するためのプログラムである。
そして、ＣＰＵ１４２が、チャプタ設定プログラム１４５ｃを実行することにより、ハードディスク８１やＤＶＤ９１に記録されているコンテンツデータの早送り領域の始点位置と終点位置とにチャプタを設定するチャプタ設定手段として機能する。
なお、図２に示す再生履歴データ１４４２ａにおいては、コンテンツデータの早送り領域の始点位置と終点位置とに、４つのチャプタ（chap.1〜chap.4）が設定されている。
【００４７】
サムネイル割当プログラム１４５ｄは、チャプタ設定手段としてのＣＰＵ１４２によって設定されたチャプタ（例えば、chap.1〜chap.4）に対し、そのチャプタが設定された位置（早送り領域の始点位置、終点位置）に対応するコンテンツデータに関するサムネイル画像を割り当てるためのプログラムである。
そして、ＣＰＵ１４２が、サムネイル割当プログラム１４５ｄを実行することにより、コンテンツデータの早送り領域の始点位置と終点位置とに設定されたチャプタに対し、その位置に対応するコンテンツデータに関するサムネイル画像を割り当てるサムネイル割当手段として機能する。
なお、サムネイル割当手段としてのＣＰＵ１４２は、コンテンツデータにおける映像データから、チャプタが設定された位置（タイミング）に対応するサムネイル画像を抽出する処理を実行する。そして、ＣＰＵ１４２が、その抽出したサムネイル画像をチャプタに割り当てるようになっている。
【００４８】
コンテンツ表示制御プログラム１４５ｅは、再生履歴判断手段としてのＣＰＵ１４２によって判断された結果に基づいて、コンテンツデータにおける再生済み領域と未再生領域と早送り領域とを色分けしたコンテンツ表示子と、サムネイル割当手段としてのＣＰＵ１４２によってチャプタに対して割り当てられたサムネイル画像とを、テレビジョン受像機２００の表示画面２００ａに表示させるためのプログラムである。
そして、ＣＰＵ１４２が、コンテンツ表示制御プログラム１４５ｅを実行することにより、コンテンツデータにおける再生済み領域と、未再生領域と、早送り領域と、を色分けしたコンテンツ表示子とともに、チャプタに対して割り当てられたサムネイル画像を、テレビジョン受像機２００の表示画面２００ａに表示するコンテンツ表示制御手段として機能する。
【００４９】
ここで、図３に示すテレビジョン受像機２００の表示画面２００ａに表示されたコンテンツ表示画面に基づき、コンテンツ表示制御手段としてのＣＰＵ１４２の機能について説明する。
図３に示すように、ユーザによるキー入力部２の操作によって、ハードディスク８１（またはＤＶＤ９１）に記録されているコンテンツに関する様々な表示項目を有するコンテンツ表示画面が、テレビジョン受像機２００の表示画面２００ａに表示される。
例えば、ハードディスク８１にＰｒ．１からＰｒ．４の４つのプログラムが記録されている場合、図３に示すように、表示画面２００ａの上側に各プログラムの内容を視認可能にするための、プログラム内容確認用のサムネイル画像２０１が表示される。例えば、Ｐｒ．１は旅行番組、Ｐｒ．２はドラマ番組、Ｐｒ．３はカースポーツ番組、Ｐｒ．４は動物番組であることを、４つのプログラム内容確認用サムネイル画像２０１によって示されている。
【００５０】
そして、図３に示すように、ユーザによるキー入力部２の操作によってＰｒ．２のサムネイル画像２０１が指示されて選択されると、そのＰｒ．２のドラマ番組のコンテンツデータに関するコンテンツ表示子２０２と、そのコンテンツ表示子２０２に対応する再生履歴テーブル２０３が表示画面２００ａに表示される。また、コンテンツデータの早送り領域の始点位置（例えば、chap.1、chap.3）と終点位置（例えば、chap.2、chap.4）とに設定されたチャプタに対して割り当てられたチャプタ用のサムネイル画像２０４が表示画面２００ａに表示される。なお、このコンテンツ表示子２０２や再生履歴テーブル２０３やサムネイル画像２０４は、メモリ部１４４に記憶されている再生履歴データ１４４２ａに基づいて生成されている。
例えば、Ｐｒ．２のコンテンツ表示子２０２は、コンテンツデータが有する所要時間である６０分のうち、０〜２０分が再生領域、２０〜３０分が２倍速早送り領域、３０〜４０分が再生領域、４０〜５０分が４倍速早送り領域、５０〜６０分が未再生領域であることが色分けされて表示される帯グラフ状の表示子である。
そして、このコンテンツ表示子２０２における早送り領域に対応してチャプタ用のサムネイル画像２０４が表示されている。
【００５１】
このようにテレビジョン受像機２００の表示画面２００ａに、ハードディスク８１やＤＶＤ９１に記録されているコンテンツデータにおける再生領域と未再生領域と早送り領域とを色分けしたコンテンツ表示子２０２を表示することができるので、ユーザは、ハードディスク８１やＤＶＤ９１に記録したコンテンツをどの程度視聴したか確認することが可能になる。
また、テレビジョン受像機２００の表示画面２００ａに、コンテンツ表示子２０２とともに、そのコンテンツ表示子２０２に対応するチャプタ用のサムネイル画像２０４を表示することができるので、ユーザは、そのコンテンツの視聴時に早送りしたタイミングの前後における内容を確認することが可能になる。例えば、図３に示すように、chap.1のサムネイル画像２０４がコマーシャルに関する画像となっていることによって、そのタイミングにコマーシャルが挿入されていることを確認することができ、chap.2〜chap.4のサムネイル画像２０４に表示されるドラマの場面によって、そのタイミングにおけるドラマ番組のシーンを確認することができる。
【００５２】
チャプタ動画表示制御プログラム１４５ｆは、チャプタ設定手段としてのＣＰＵ１４２によってチャプタが設定されたコンテンツデータの早送り領域の始点位置や終点位置に対応するコンテンツデータに関する動画を所定時間再生してテレビジョン受像機２００の表示画面２００ａに表示させるためのプログラムである。
そして、ＣＰＵ１４２が、チャプタ動画表示制御プログラム１４５ｆを実行することにより、チャプタが設定された早送り領域の始点位置や終点位置に対応するコンテンツデータに関する動画を所定時間再生してテレビジョン受像機２００の表示画面２００ａに表示するチャプタ動画表示制御手段として機能する。
なお、チャプタ動画表示制御手段としてのＣＰＵ１４２は、コンテンツデータにおける映像データから、例えば、チャプタが設定された位置（タイミング）を挟んだ前後５秒ずつの１０秒分の映像データを取得する処理を実行する。そして、ＣＰＵ１４２が、その取得した映像データに基づき、１０秒間分の動画を再生してテレビジョン受像機２００に表示するようになっている。
【００５３】
ここで、図３に示すテレビジョン受像機２００の表示画面２００ａに表示されたコンテンツ表示画面に基づき、チャプタ動画表示制御手段としてのＣＰＵ１４２の機能について説明する。
図３に示すように、ユーザによるキー入力部２の操作によって、ハードディスク８１（またはＤＶＤ９１）に記録されているコンテンツに関する様々な表示項目を有するコンテンツ表示画面が、テレビジョン受像機２００の表示画面２００ａに表示される。
このコンテンツ表示画面において、Ｐｒ．２のサムネイル画像２０１が指示されて選択されたことによって、そのＰｒ．２のドラマ番組のコンテンツデータに関するコンテンツ表示子２０２や、コンテンツデータのチャプタに対して割り当てられたチャプタ用のサムネイル画像２０４が表示画面２００ａに表示される。
【００５４】
そして、図３に示すように、ユーザによるキー入力部２の操作によってchap.3のサムネイル画像２０４が指示されて選択されると、そのコンテンツデータにおいてchap.3が設定された位置（タイミング）を挟んだ前後５秒ずつの１０秒分の映像データに基づく動画が、サンプル画面２０５に表示される。
このようにテレビジョン受像機２００の表示画面２００ａに、コンテンツ表示子２０２における早送り領域の始点位置（例えば、chap.1、chap.3）と終点位置（例えば、chap.2、chap.4）のチャプタ用サムネイル画像２０４に対応する動画を表示することができるので、ユーザは、サムネイル画像２０４よりも詳しく、その早送りした早送り領域の前後におけるコンテンツの内容を確認することが可能になる。例えば、そのチャプタの位置（サムネイル画像２０４）がこれからコマーシャルに移る場面か、コマーシャルから番組に戻る場面かを確認することや、その番組を見続けるつもりであった場面か、その番組の続きを見ないつもりであった場面かを確認することができる。
【００５５】
以上説明した本発明に係るＨＤＤ内蔵ＤＶＤレコーダ１００によれば、ＨＤＤ内蔵ＤＶＤレコーダ１００に接続されたテレビジョン受像機２００の表示画面２００ａに、ＨＤＤ内蔵ＤＶＤレコーダ１００のハードディスク８１やＤＶＤ９１に記録されているコンテンツデータにおける再生領域と未再生領域と早送り領域とを色分けしたコンテンツ表示子２０２を表示することができるので、ユーザは、ハードディスク８１やＤＶＤ９１に記録したコンテンツを、どの程度視聴したか確認することが可能になる。また、テレビジョン受像機２００の表示画面２００ａに、コンテンツ表示子２０２とともに、そのコンテンツ表示子２０２に対応するチャプタ用のサムネイル画像２０４を表示することができるので、ユーザは、そのコンテンツの視聴時に早送りしたタイミング（早送り領域）の前後におけるコンテンツの内容を確認することが可能になる。
また、テレビジョン受像機２００の表示画面２００ａに、コンテンツ表示子２０２における早送り領域の前後のチャプタ用サムネイル画像２０４に対応する動画を表示することができるので、ユーザは、サムネイル画像２０４よりも詳しく、その早送り領域の始点位置や終点位置であるタイミングにおけるコンテンツの内容を確認することが可能になる。
【００５６】
このように、ＨＤＤ内蔵ＤＶＤレコーダ１００によれば、ユーザは、記録媒体であるハードディスク８１やＤＶＤ９１に記録したコンテンツをどの程度視聴したか確認することや、そのコンテンツの視聴時に早送りした範囲（早送り領域）の前後におけるコンテンツの内容を確認することができるので、ハードディスク８１やＤＶＤ９１に記録されているコンテンツデータを、以後再生して視聴すべきものであるか、以後再生することはないものであるかを判断しやすくなる。
つまり、ユーザは、ＨＤＤ内蔵ＤＶＤレコーダ１００におけるハードディスク８１やＤＶＤ９１に記録されたコンテンツデータの視聴状況やコンテンツの内容を確認してから、そのコンテンツデータの再生を行うことができるので、ユーザが所望するコンテンツデータや、そのコンテンツデータの任意の領域を選択して再生することが可能になる。
よって、このＨＤＤ内蔵ＤＶＤレコーダ１００は、ハードディスク８１やＤＶＤ９１に記録されたコンテンツデータを好適に再生することができる情報記録再生装置であるといえる。
【００５７】
なお、以上の実施の形態においては、記録媒体としてハードディスク８１やＤＶＤ９１を例に挙げて説明したが、本発明はこれに限定されるものではなく、例えば、ハードディスク８１以外の磁気ディスクや、ＤＶＤ９１以外の光ディスク、光磁気ディスク、磁気テープ或いは半導体メモリ等の他の記録媒体を用いるようにしてもよく、また、各記録媒体に記録を行うデータ記録機器であってもよい。
【００５８】
また、以上の実施の形態においては、コンテンツデータにおける再生領域と未再生領域と早送り領域とを色分けしたコンテンツ表示子２０２を表示するとしたが、本発明はこれに限定されるものではなく、例えば、各領域を異なる表示形態（模様や形など）で表示するようにしてもよい。
【００５９】
また、コンテンツ表示画面に表示されるコンテンツ表示子２０２や再生履歴テーブル２０３を参考にして、記録媒体における再生位置を調整し、コンテンツデータの任意の位置（時間）からの再生を行うことの他、ユーザによるキー入力部２の操作によってコンテンツ表示子２０２における任意の位置を指し示すことによって、コンテンツデータの任意の位置を選択して、そのポイントからの再生を行うようにしてもよい。
【００６０】
また、その他、具体的な細部構造等についても適宜に変更可能であることは勿論である。
【図面の簡単な説明】
【００６１】
【図１】本発明に係るＨＤＤ内蔵ＤＶＤレコーダの要部構成を示すブロック図である。
【図２】メモリ部に記録される再生履歴データの一例を示す説明図である。
【図３】テレビジョン受像機２００に表示されるコンテンツ表示画面の一例を示す説明図である。
【符号の説明】
【００６２】
１      装置本体
２      キー入力部
８      ＨＤＤ部（記録手段、再生手段）
８１    ハードディスク（記録媒体）
９      ＤＶＤドライブ部（記録手段、再生手段）
９１    ＤＶＤ（記録媒体）
１４    制御部
１４２  ＣＰＵ（表示制御手段、再生履歴判断手段、チャプタ設定手段、サムネイル割当手段、コンテンツ表示制御手段、チャプタ動画表示制御手段）
１４４  メモリ部
１４４２  データエリア
１４４２ａ  再生履歴データ
１４５    ＲＯＭ
１４５ａ  表示制御プログラム
１４５ｂ  再生履歴判断プログラム
１４５ｃ  チャプタ設定プログラム
１４５ｄ  サムネイル割当プログラム
１４５ｅ  コンテンツ表示制御プログラム
１４５ｆ  チャプタ動画表示制御プログラム
１００    ＨＤＤ内蔵ＤＶＤレコーダ（情報記録再生装置）
２００    テレビジョン受像機（表示部）
２００ａ  表示画面
２０１    プログラム内容確認用サムネイル画像
２０２    コンテンツ表示子
２０３    再生履歴テーブル
２０４    チャプタ用サムネイル画像
２０５    サンプル画面
【図１】
0004835253.tif 000002
【図２】
0004835253.tif 000003
【図３】
0004835253.tif 000004